(57)【特許請求の範囲】
【請求項１】
固定された複数の排紙部を備え、印刷されたシートの排紙先を切り替えることにより、前記印刷されたシートを前記固定された複数の排紙部の何れかに選択的に排紙する第１タイプのシート処理装置と、移動可能な複数の排紙トレイを備え、前記移動可能な複数の排紙部を移動させることにより、印刷されたシートを前記移動可能な複数の排紙部の何れかに選択的に排紙する第２タイプのシート処理装置を交換可能に接続する印刷装置であって、
ジョブを入力する入力手段と、
前記入力手段により入力されたジョブに基づいて印刷処理を実行する印刷手段と、
前記印刷装置に前記第１タイプのシート処理装置と前記第２タイプのシート処理装置のうち何れのタイプのシート処理装置が接続されているかを判断する判断手段と、
前記入力手段が第１ジョブ及び当該第１ジョブに後続する第２ジョブを入力した場合において、前記判断手段が前記印刷装置に前記第１タイプのシート処理装置が接続されていると判断した場合に、前記印刷手段が前記第１ジョブに基づく印刷処理及び前記第２ジョブに基づく印刷処理を並行して実行することを許可し、
前記判断手段が前記印刷装置に前記第２タイプのシート処理装置が接続されていると判断した場合に、前記印刷手段が前記第１ジョブに基づく印刷処理及び前記第２ジョブに基づく印刷処理を並行して実行することを禁止する制御手段と
を有することを特徴とする印刷装置。
【請求項２】
前記制御手段は、前記印刷手段が前記第１ジョブに基づく印刷処理及び前記第２ジョブに基づく印刷処理を並行して実行することを許可する場合に、前記第１ジョブに基づく印刷処理及び前記第２ジョブに基づく印刷処理をページ単位で交互に実行するよう前記印刷手段を制御することを特徴とする請求項１に記載の印刷装置。
【請求項３】
前記制御手段は、前記印刷手段が前記第１ジョブに基づく印刷処理及び前記第２ジョブに基づく印刷処理を並行して実行することを禁止する場合に、前記第１ジョブ及び前記第２ジョブのうち優先順位の高いジョブに基づく印刷処理を優先して実行するよう前記印刷手段を制御することを特徴とする請求項１又は２に記載の印刷装置。
【請求項４】
ジョブの種類ごとに当該ジョブを実行する際の優先順位を設定する設定手段を更に有し、
前記制御手段は、前記印刷手段が前記第１ジョブに基づく印刷処理及び前記第２ジョブに基づく印刷処理を並行して実行することを禁止する場合に、前記設定手段により設定されたジョブの種類ごとの優先順位に基づいて、前記第１ジョブ及び前記第２ジョブのうち優先順位の高いジョブに基づく印刷処理を優先して実行するよう前記印刷手段を制御することを特徴とする請求項３に記載の印刷装置。
【請求項５】
前記第１タイプのシート処理装置は、前記第１ジョブに基づく印刷処理が実行されたシート及び前記第２ジョブに基づく印刷処理が実行されたシートそれぞれを前記固定された複数の排紙部のうち互いに異なる排紙部に排紙し、
前記第２タイプのシート処理装置は、前記第１ジョブに基づく印刷処理が実行されたシート及び前記第２ジョブに基づく印刷処理が実行されたシートそれぞれを前記移動可能な複数の排紙部のうち互いに異なる排紙部に排紙することを特徴とする請求項１乃至４の何れか１項に記載の印刷装置。
【請求項６】
固定された複数の排紙部を備え、印刷されたシートの排紙先を切り替えることにより、前記印刷されたシートを前記固定された複数の排紙部の何れかに選択的に排紙する第１タイプのシート処理装置と、移動可能な複数の排紙トレイを備え、前記移動可能な複数の排紙部を移動させることにより、印刷されたシートを前記移動可能な複数の排紙部の何れかに選択的に排紙する第２タイプのシート処理装置を交換可能に接続する印刷装置の制御方法であって、
入力手段が、ジョブを入力する入力工程と、
印刷手段が、前記入力工程により入力されたジョブに基づいて印刷処理を実行する印刷工程と、
判断手段が、前記印刷装置に前記第１タイプのシート処理装置と前記第２タイプのシート処理装置のうち何れのタイプのシート処理装置が接続されているかを判断する判断工程と、
制御手段が、
前記入力工程が第１ジョブ及び当該第１ジョブに後続する第２ジョブを入力した場合において、前記判断工程が前記印刷装置に前記第１タイプのシート処理装置が接続されていると判断した場合に、前記印刷工程が前記第１ジョブに基づく印刷処理及び前記第２ジョブに基づく印刷処理を並行して実行することを許可し、
前記判断工程が前記印刷装置に前記第２タイプのシート処理装置が接続されていると判断した場合に、前記印刷工程が前記第１ジョブに基づく印刷処理及び前記第２ジョブに基づく印刷処理を並行して実行することを禁止する制御工程と
を有することを特徴とする印刷装置の制御方法。
【請求項７】
固定された複数の排紙部を備え、印刷されたシートの排紙先を切り替えることにより、前記印刷されたシートを前記固定された複数の排紙部の何れかに選択的に排紙する第１タイプのシート処理装置と、移動可能な複数の排紙トレイを備え、前記移動可能な複数の排紙部を移動させることにより、印刷されたシートを前記移動可能な複数の排紙部の何れかに選択的に排紙する第２タイプのシート処理装置を交換可能に接続し、印刷手段を有する印刷装置の制御部が読み込み実行するコンピュータプログラムを格納した記憶媒体であって、
前記制御部を、
ジョブを入力する入力手段と、
前記入力手段により入力されたジョブに基づいて印刷処理を実行する印刷手段と、
前記印刷装置に前記第１タイプのシート処理装置と前記第２タイプのシート処理装置のうち何れのタイプのシート処理装置が接続されているかを判断する判断手段と、
前記入力手段が第１ジョブ及び当該第１ジョブに後続する第２ジョブを入力した場合において、前記判断手段が前記印刷装置に前記第１タイプのシート処理装置が接続されていると判断した場合に、前記印刷手段が前記第１ジョブに基づく印刷処理及び前記第２ジョブに基づく印刷処理を並行して実行することを許可し、
前記判断手段が前記印刷装置に前記第２タイプのシート処理装置が接続されていると判断した場合に、前記印刷手段が前記第１ジョブに基づく印刷処理及び前記第２ジョブに基づく印刷処理を並行して実行することを禁止する制御手段
として機能させるコンピュータプログラムを格納した記憶媒体。
【請求項８】
固定された複数の排紙部を備え、印刷されたシートの排紙先を切り替えることにより、前記印刷されたシートを前記固定された複数の排紙部の何れかに選択的に排紙する第１タイプのシート処理装置と、移動可能な複数の排紙トレイを備え、前記移動可能な複数の排紙部を移動させることにより、印刷されたシートを前記移動可能な複数の排紙部の何れかに選択的に排紙する第２タイプのシート処理装置を交換可能に接続する印刷装置であって、
ジョブを入力する入力手段と、
前記入力手段により入力されたジョブに基づいて印刷処理を実行する印刷手段と、
前記印刷装置に前記第１タイプのシート処理装置と前記第２タイプのシート処理装置のうち何れのタイプのシート処理装置が接続されているかを判断する判断手段と、
前記入力手段が第１ジョブ及び当該第１ジョブに後続する第２ジョブを入力した場合において、前記判断手段が前記印刷装置に前記第１タイプのシート処理装置が接続されていると判断した場合に、前記印刷手段が前記第１ジョブに基づく印刷処理及び前記第２ジョブに基づく印刷処理を並行して実行することを許可し、
前記判断手段が前記印刷装置に前記第２タイプのシート処理装置が接続されていると判断した場合に、前記印刷手段が前記第１ジョブに基づく印刷処理及び前記第２ジョブに基づく印刷処理を並行せず実行するように制御する制御手段と
を有することを特徴とする印刷装置。
【請求項９】
固定された複数の排紙部を備え、印刷されたシートの排紙先を切り替えることにより、前記印刷されたシートを前記固定された複数の排紙部の何れかに選択的に排紙する第１タイプのシート処理装置と、移動可能な複数の排紙トレイを備え、前記移動可能な複数の排紙部を移動させることにより、印刷されたシートを前記移動可能な複数の排紙部の何れかに選択的に排紙する第２タイプのシート処理装置を交換可能に接続する印刷装置の制御方法であって、
入力手段が、ジョブを入力する入力工程と、
印刷手段が、前記入力工程により入力されたジョブに基づいて印刷処理を実行する印刷工程と、
判断手段が、前記印刷装置に前記第１タイプのシート処理装置と前記第２タイプのシート処理装置のうち何れのタイプのシート処理装置が接続されているかを判断する判断工程と、
制御手段が、
前記入力工程が第１ジョブ及び当該第１ジョブに後続する第２ジョブを入力した場合において、前記判断工程が前記印刷装置に前記第１タイプのシート処理装置が接続されていると判断した場合に、前記印刷工程が前記第１ジョブに基づく印刷処理及び前記第２ジョブに基づく印刷処理を並行して実行することを許可し、
前記判断工程が前記印刷装置に前記第２タイプのシート処理装置が接続されていると判断した場合に、前記印刷工程が前記第１ジョブに基づく印刷処理及び前記第２ジョブに基づく印刷処理を並行せず実行するように制御する制御工程と
を有することを特徴とする印刷装置の制御方法。
【請求項１０】
固定された複数の排紙部を備え、印刷されたシートの排紙先を切り替えることにより、前記印刷されたシートを前記固定された複数の排紙部の何れかに選択的に排紙する第１タイプのシート処理装置と、移動可能な複数の排紙トレイを備え、前記移動可能な複数の排紙部を移動させることにより、印刷されたシートを前記移動可能な複数の排紙部の何れかに選択的に排紙する第２タイプのシート処理装置を交換可能に接続し、印刷手段を有する印刷装置の制御部が読み込み実行するコンピュータプログラムを格納した記憶媒体であって、
前記制御部を、
ジョブを入力する入力手段と、
前記印刷装置に前記第１タイプのシート処理装置と前記第２タイプのシート処理装置のうち何れのタイプのシート処理装置が接続されているかを判断する判断手段と、
前記入力手段が第１ジョブ及び当該第１ジョブに後続する第２ジョブを入力した場合において、前記判断手段が前記印刷装置に前記第１タイプのシート処理装置が接続されていると判断した場合に、前記印刷手段が前記第１ジョブに基づく印刷処理及び前記第２ジョブに基づく印刷処理を並行して実行することを許可し、
前記判断手段が前記印刷装置に前記第２タイプのシート処理装置が接続されていると判断した場合に、前記印刷手段が前記第１ジョブに基づく印刷処理及び前記第２ジョブに基づく印刷処理を並行せずに実行するように制御する制御手段
として機能させるコンピュータプログラムを格納した記憶媒体。
【発明の詳細な説明】
【０００１】
【発明が属する技術分野】
本発明はジョブに基づく印刷処理を行なう技術に関するものである。
【０００２】
【従来の技術】
複写機、ファクシミリ、プリンタは従来よりスタンドアロンとして使用されてきた。ところが近年になってネットワークが普及するにつれ、プリンタを複数のユーザが供給できる仕組みが構築され、必然、複写機、ファクシミリについても共有する要望が高まってきている。
【０００３】
ここで、複写機、ファクシミリ、プリンタついて着目してみると、いずれの印刷する機構が備わっているものであり、それらを統合したデジタル複合装置を構築できれば、コスト的にも、スペース的にも有利であり、現実に、このような装置或いはシステムも製品化されてもいる。
【０００４】
ここで問題となるのは、この様な装置を用いて複写ジョブ、ホストコンピュータよりの印刷データに基づくプリントジョブ、ファクシミリ受信ジョブの要求をどう調停するかである。
【０００５】
考えられる方法としては、操作部等で予め、プリント優先順位を設定しておき、その設定された優先順位に従って処理を行うことであろう。
【０００６】
【発明が解決しようとする課題】
しかしながら、操作部などで設定するプリント優先順のみの制御は、画像形成装置に装着する排紙処理装置の有無、排紙装置の機能を全く無視したものとなり、効率の良いジョブ管理ができない可能性が生じる。
【０００７】
本発明は、上記の問題を解決する技術を提供しようとするものである。
【０００８】
また、本発明は、最適なスケジュールを行ない、出力すべきジョブの生産性を向上させる技術を提供しようとするものである。
【０００９】
この課題を解決するため、例えば本発明の印刷装置は以下の構成を備える。すなわち、
固定された複数の排紙部を備え、印刷されたシートの排紙先を切り替えることにより、前記印刷されたシートを前記固定された複数の排紙部の何れかに選択的に排紙する第１タイプのシート処理装置と、移動可能な複数の排紙トレイを備え、前記移動可能な複数の排紙部を移動させることにより、印刷されたシートを前記移動可能な複数の排紙部の何れかに選択的に排紙する第２タイプのシート処理装置を交換可能に接続する印刷装置であって、
ジョブを入力する入力手段と、
前記入力手段により入力されたジョブに基づいて印刷処理を実行する印刷手段と、
前記印刷装置に前記第１タイプのシート処理装置と前記第２タイプのシート処理装置のうち何れのタイプのシート処理装置が接続されているかを判断する判断手段と、
前記入力手段が第１ジョブ及び当該第１ジョブに後続する第２ジョブを入力した場合において、前記判断手段が前記印刷装置に前記第１タイプのシート処理装置が接続されていると判断した場合に、前記印刷手段が前記第１ジョブに基づく印刷処理及び前記第２ジョブに基づく印刷処理を並行して実行することを許可し、
前記判断手段が前記印刷装置に前記第２タイプのシート処理装置が接続されていると判断した場合に、前記印刷手段が前記第１ジョブに基づく印刷処理及び前記第２ジョブに基づく印刷処理を並行して実行することを禁止する制御手段とを有する。
【００１０】
【発明の実施の形態】
以下、添付図面に従って本発明に係る実施形態を詳細に説明する。
【００１１】
図１は実施形態における画像形成装置の機能ブロック構成図である。
【００１２】
２００は原稿を画像データに変換する画像入力装置（リーダ部）、３００は画像形成処理を実行する為の、複数種類の記録紙カセットを収容し、プリント命令により画像データを記録紙上に可視像として出力する画像出力装置（プリンタ部）、１００は前記リーダ部２００およびプリンタ部３００と電気的に接続された制御部であり、各種の機能を有する。尚、制御部１００は、画像形成装置本体にフィニッシャやソータ等シート処理装置が接続されている場合、該シート処理装置を含めたこれらの装置を統括的に制御する。
【００１３】
実施形態における装置は、イメージリーダ、プリンタ、ファクシミリ装置としてそれぞれ機能するため、図示の如く、ＦＡＸ通信制御部１０、コンピュータおよびＬＡＮと接続する為のＰＤＬコンピュータインタフェース制御部１４、コンピュータからの情報を可視像とするためのＰＤＬ画像展開部１６、前記リーダ部２００からの情報を蓄積したり、コンピュータから送られてきた情報を一時的に蓄積する為のイメージメモリ部２０等を備えている。イメージメモリ部２０は、リーダ、ＦＡＸの通信インタフェース、コンピュータインタフェースからの画像を記憶・蓄積したり、画像の回転を行う為の画像メモリである。この画像メモリは、増設が可能になっており、装着状態を検出する図示しないコネクト信号により、装着状態が判別できるようになっている。
【００１４】
制御部１００は、ジョブ全体の管理および制御を行うジョブ管理部１があって、コピー機能の制御を行うコピー制御部２、ＦＡＸ機能の制御を行うＦＡＸ制御部３、コンピュータからのコード情報をイメージ情報に展開し、プリントの制御を行うＰＤＬプリント制御部４の制御を司っている。また、リーダ部１からの情報を蓄積したり、コンピュータから送られてきた情報を一時的に蓄積する為のイメージメモリ部２０も備えている。
【００１５】
ここで、コピー制御部２、つまり、複写機として機能するための制御系は、原稿の読込みを制御するコピー読込み制御部５、コピー読込み制御部５で読込んだ画像をプリントするコピープリント制御部６、コピーの画面制御を行うコピーＭＭＩ制御部７から構成されている。
【００１６】
またＦＡＸ制御部３は、原稿の読込みを制御するＦＡＸ読込み制御部８、ＦＡＸのレボート、受信画像、ＦＡＸ読込み制御部８で読込んだ画像などをプリントするＦＡＸプリント制御部９、ＦＡＸの送受信を制御するＦＡＸ通信制御部１０、ＦＡＸの画面制御を行うＦＡＸＭＭＩ制御部１１から構成されている。
【００１７】
ＰＤＬ制御部４は、ネットワークＩ／Ｆもしくは通常のプリンタＩ／Ｆを制御してページ記述言語（ＰＤＬ）で記述された印刷データ（ＰＤＬデータ）を受信するＰＤＬＩ／Ｆ制御部１４をはじめ、受信した印刷データを読込むＰＤＬ読込み制御部１２、ＰＤＬで記述された印刷データに基づいて印刷を制御するＰＤＬプリント制御部１３、ＰＤｌＭＭＩ制御部１５、ＰＤＬデータからイメージデータを展開するＰＤＬ画像展開部１６で構成される。なお、ＰＤＬＩ／Ｆ制御部１４は、本装置がイメージスキャナとして機能する場合には、読み取った画像データを要求のあったホストコンピュータに送信、もしくは出力するためにも使用される。
【００１８】
また、本形態の画像形成装置本体は、フィニッシャやソータ等のシート処理装置と接続可能に構成されている（図２参照）。そして、画像形成装置本体の該制御部１００のＣＰＵ（不図示）とシート処理装置内の制御部のＣＰＵ（不図示）とは所定の通信媒体を介して情報のやり取りを行うことが可能である。
【００１９】
これにより、制御部１００は、画像形成装置本体にシート処理装置が接続されているかに関する情報、どんなタイプのシート処理装置（例えば、トレイが移動式タイプのもの、固定式タイプのもの等）が接続されているかに関する情報、シート処理装置の各トレイ上のシートの有無、アクセス中のトレイはどのトレイであるか（即ち、シートの排出処理が行なわれている現在使用中のトレイはどのトレイであるか）に関する情報等を取得することができ、これらの情報は制御部１００により管理可能なように構成されている。尚、これらの情報は、後述する図３や図１０に示すフローチャートの処理の行う際に利用される。
【００２０】
図５は実施形態における画像形成装置の操作部の詳細、およびユーザーモード画面の表示内容を示している。同図（ａ）のように、この操作面には、各種のキー（図示の５０２乃至５０４）と、液晶表示装置等からなるドットマトリックスで構成される表示部５０１とが配置されている。液晶表示部５０１にはタッチセンサーが配置され、液晶操作部に表示された各種のキー入力が可能である。液晶表示部５０１には装置の状態、コピー枚数、倍率、選択用紙を決定する仮想的なボタン及び各種操作画面を表示する。
【００２１】
また、スタートキー５０３は、コピーを開始させるキーであり、復帰キー５０５は設定モードを標準状態に復帰させるためのキーである。またキー群１０２にはコピー枚数、ズーム倍率等を入力する０から９までのテンキー５０２とその入力をクリアするクリアキーが設けられている。濃度キー５０５は濃度をアップ／ダウンするキーであり、これにより調整される濃度は表示部５０７に表示される。キー５０６は自動濃度調整機能をＯＮ／ＯＦＦするキーとその表示部であり、キー５０８は給紙段及びオート用紙選択機能を選択するキーである。キー５０９、５１０，５１２は、それぞれ等倍、定形縮小／拡大である。キー５１４は各種画像処理モードを設定するためのキーである。また、キー５１３は両面機能を設定するためのキーである。また、キー５１６はユーザーの所望の機能を設定するためのユーザーモードキーである。
【００２２】
図５（ｂ）乃至（ｄ）は、ユーザーモードキー５１６をユーザが押した場合の操作部上の操作パネルに表示される設定画面を表している。
【００２３】
同図（ｂ）は、図５（ａ）の画面にてユーザによりユーザモードキー５１６が押下された場合に操作部に表示されるユーザーモードの一覧を示す画面で、プリントの優先順位の設定、専用トレイの設定いずれかのモードに入る為の選択画面を示している。同図（ｃ）は、図５（ｂ）の画面にて、「プリント優先順位の設定」を選択した場合に表示される設定画面を示し、同図（ｄ）は、図５（ｂ）の画面にて「専用トレイの設定」を選択した場合に表示される指定画面を示している。「専用トレイの設定」とは、プリントしたときの排出先のトレイを各ジョブ毎に指定する為のものである（即ち、各ジョブ毎に使用するトレイを割り当てる為のもの）。ここでは、複数のトレイの選択が可能である。これらの設定された情報は、制御部１００内の図示しないデータ記憶用のＲＡＭに記憶される。
【００２４】
本形態では、上述した図５（ｃ）に示す画面にて、ユーザーが、コピー機能、ＦＡＸ機能、ＰＤＬプリンタ機能におけるジョブの優先順位を設定できる（設定した順位は変更がない限り、不図示のＲＡＭに記憶保持されている）。
【００２５】
図示では、コピーモードのジョブ（以下、コピージョブ）、ファクシミリモードのジョブ（以下、ＦＡＸジョブ）、プリントモードのジョブ（以下、ＰＤＬプリントジョブ）の順番で優先順位が設定されている例を示している。例えば、この設定において、現在、画像形成装置１０００が、ＰＤＬプリントジョブを実行している場合に、ジョブ管理部１にコピージョブの開始要求が来た場合は、現在実行中のＰＤＬプリントジョブを中断し、該コピージョブを優先的に実行する。そして、該コピージョブが終了したら、該ＰＤＬプリントジョブを再開する。このように、各機能におけるジョブの優先順位をユーザーが設定できる。
【００２６】
尚、図５（ｃ）に示す画面は、図５（ｂ）に示す画面において、キー５０２０がユーザーがにより押下された場合に表示される。
【００２７】
一方、画像形成装置１０００にシート処理装置、例えば、フィニッシング装置４００またはフィニッシング装置４５０が接続されており、且つ、該シート処理装置が複数のトレイを有する場合は、図５（ｄ）に示す専用トレイの指定画面にて、ユーザーが、各ジョブ毎に排出先を指定することが出来る。
【００２８】
図示では画像形成装置１０００がトレイ１、トレイ２、トレイ３という３つのトレイを有している場合を示し、コピージョブとして処理される記録紙はトレイ１に排出し、ＦＡＸジョブとして処理される記録紙はトレイ２に排出し、ＰＤＬプリントジョブとして処理される記録紙はトレイ３に排出するように設定される。尚、同図（ｄ）の画面は、同図（ｂ）に示す画面において、キー５０２１がユーザーにより押下された場合に表示される。また、設定された内容は制御部１００内の不図示のＲＡＭに記憶保持されることになる。
【００２９】
尚、本形態では、ユーザによりトレイの指定が予め行われている／いない、に係らず、１つのトレイに複数のジョブのシートが混在しないように、制御部１００は、シート排出制御を行う。
【００３０】
更に、本形態では、シート処理装置の有無（例えば、フィニッシング装置４００またはフィニッシング装置４５０が接続されているか否かに関する情報）及び、シート処理装置の種類（例えば、シート処理装置が有するトレイは移動式か固定式等の情報）を検出し、検出したシート処理装置に関する情報、及び上述したユーザーが操作部にて指定するジョブの優先順位に基づいて、各ジョブ（コピージョブ、ＦＡＸジョブ、ＰＤＬプリントジョブ）の処理順序を設定する（即ち、各ジョブのスケジューリングを行う）。そして、設定した処理情報に基づいて、各ジョブを順次処理するようジョブ管理部１により制御する。
【００３１】
図２は、実施形態における画像形成装置の断面構造図である。図１に示した構成における制御部１００は図示の電子回路基板１１０内に納められており、図示では主としてリーダ部２００およびプリンタ部３００の構成を示していることになる。以下、図示の構成および動作について説明する。
【００３２】
＜原稿給紙装置の動作についての説明＞
原稿給送装置１０１の原稿積載部上にフェイスアップ積載された原稿は、１枚ずつ順次原稿台ガラス面１０２上に搬送される。積載トレイには原稿給送時原稿が斜行することがないように原稿の給送方向に原稿の幅方向を規制する幅方向規制版が設けられ原稿の給送方向に垂直にスライド移動する。
【００３３】
まず、原稿束を下分離動作する場合について説明する。半月ローラ３０３及び分離ローラ３０４によって原稿束の最下部から一枚ずつ下分離され、分離された原稿は搬送ローラ３０５及び全面ベルト３０６によりプラテンガラス１０２の露光位置まで搬送停止され、その後に画像読み取りが開始する。画像読み取り終了後はプラテンガラス１０２上の原稿は搬送大ローラ３０７と搬送ローラ３０８により再び原稿束の最上面に戻される。
【００３４】
次に、原稿束を上分離動作する場合について説明する。ピックアップローラ３０９及び分離ローラ３０４によって原稿束の最上部から一枚ずつ上分離され、分離された原稿は搬送ローラ３０５及び全面ベルト３０６によりプラテンガラス１０２の露光位置まで搬送停止され、その後に画像読み取りが開始する。画像読み取り終了後はプラテンガラス１０２上の原稿は外排紙ローラ３１０により外排紙トレイに排紙される。
【００３５】
また、両面原稿時には前述のように原稿をいったん画像読み取り位置に導き、画像読み取り終了後、回動可能な切り換えフラッパ３１１を切り換えることにより原稿の先端をバスに導き、搬送ローラ３０５と全面ベルト３０６でプラテンガラス１０２上に原稿を搬送停止させる。すなわち、搬送大ローラ３０７の回転により原稿の反転が実行される構成となっている。
（２）原稿の読込み・プリント操作についての説明
本体前面に配置してある操作部よりスタートされると、原稿が原稿給送装置１０１上に載置されている場合には、前述した原稿の給紙動作が行われ、原稿台ガラス面１０２の所定の位置に搬送されるまで待つ。また、直接原稿を原稿台ガラス面１０２の所定の位置に置いた場合には、操作部からのスタートで、スキャナ部のランプ１０３が点灯し、かつスキャナ・ユニット１０４が移動して原稿を照射する。原稿の反射光は、ミラー１０５，１０６，１０７、レンズ１０８を介してＣＣＤイメージ・センサ１０９（以下、ＣＣＤと称する）に入力する。
【００３６】
また、制御部１００（電子回路基板１１０内にあることは既に説明した）内のコピー制御部２の制御下で、各種操作部で設定された画像処理が施される。次にセレクタ回路部（不図示）にて、画像信号が選択され、制御部１００内の画像記憶用のメモリ部、プリンタ部３００、制御部１００へ接続される。プリンタ部３００へ接続された電気信号は、露光制御部２０１にて変調された光信号に変換されて感光体２０２を照射する。照射光によって感光体２０２上に作られた潜像は、現像器２０３によって現像される。上記潜像の先端とタイミングを合わせて転写紙積載部２０４または転写紙積載部２０５より転写紙が搬送され、転写部２０６において、上記現像された像が転写される。転写された像は定着部２０７にて転写紙に定着された後、排紙部２０８より装置外部に排出される。また、イメージメモリ部２０へ接続された電気信号は、図示しない画像の圧縮制御部によりイメージメモリ部２０内の圧縮画像記憶部に記憶される。一旦、イメージメモリ部２０に記憶された画像は、図示しない画像伸張制御部により、再び、セレクタ部に送られ、プリンタ部３００へ接続される。
【００３７】
＜フィニッシング装置４００の動作の説明＞
排紙部２０８から出力された複写済みシート（記録媒体、記録済み用紙）は、フィニッシャー４００に入る。フィニッシャー４００は、上下方向に移動可能な３ビンの移動式のトレイ４１１と、トレイ４１１が使用できない場合に、一時的に使用するためのトレイ４０８、および、パンフレット折り時の排紙トレイ４０７を有する。３ビンの移動式のトレイ４１１に出力する場合には、複写済みシートは、本体の排紙ローラ２０８から順次排出され、フィニッシャー４００の搬送ローラ４０１に入り、排出ローラ４１０からトレイ４１１の所定のトレイに排出される。また、ステイプルモードが選択されて、プリンタ部からステイプル信号が入力すると、ステイプル装置４２０が排紙されたシート束をステイプルすることができる。またステイプル装置４０２は図示しないステイプル移動モーターにより、手前側／奥側の方向に移動可能になっており、転写紙の任意の位置にステイプルすることができるようになっている。また、３ビンのトレイに出力中、別の処理の用紙が出力されると、搬送ローラ４０１を通過後、上部のパスに入り、排紙ローラ４０９から、一時的に使用するトレイ４０８に排出される。また、パンフレット折りの出力の場合には、搬送路４０３を通り、パンフレット折り用のスタック部４０４にスタックされる。このスタック部の突き当ては用紙のサイズにより調整されるようになっている。必要部数の記録紙がスタックされたところで、プリンタ部からパンフレット折り信号が入力すると、ステイプル装置４２１が駆動し、スタックされている記録紙の中央にステイプルが行われ、折り制御部４０６が折りローラ４０２の方向に記録紙を押し折りローラ４０２で記録紙を半折りにし、排紙ローラ４０５を通り排紙される。
【００３８】
＜フィニッシング装置４５０の動作の説明＞
フィニッシング装置４５０が本体に装着されている場合には、排紙部２０８から出力された転写紙は、フィニッシャー４５０に入る。フィニッシャー４５０は３ビンの固定式のトレイ４５１，４５２，４５３を有する。トレイ４５１に出力する場合には、複写済みシートは、本体の排紙ローラ２０８から順次排出され、フィニッシャー４５５の搬送部に入り、フラッパー４５４をトレイ４５１に出す方に切り換えることにより排紙ローラ４５７を通り出力される。トレイ４５２に排出する場合には、フラッパー４５４をトレイ４５２，４５３に出す方に切り換え、さらに、フラッパー４５６をトレイ４５２に出す方に切り換えることにより排紙ローラ４５８を通り出力される。トレイ４５３に排出する場合は、フラッパ４５４、４５６をトレイ４５３の方向に切替え、排紙ローラ４５９を介し出力される。
【００３９】
このように、トレイが固定式のタイプのシート処理装置においては、装置内部のフラッパを切替えるだけで、所望するトレイにシートを排出することが可能なので、使用すべきトレイを変更する為の準備時間も少なくてもすみ、画像形成装置本体のプリンタ部３００にて１ページ分の画像形成処理が完了するまでの間に所望のトレイに切替えておくことができる。従って、シートを１ページ出力する度に、トレイを変更したとしても、出力ジョブの生産性が低下するということは無い。
【００４０】
＜両面プリント動作の説明＞
定着部２０７で定着された出力用紙は、フラッパー２０９により、反転パス２１２通りセンサ２１からのタイミングでローラ２１１を用紙の搬送向きを反転して搬送方向を切替え、再給紙用被転写紙積載部２１３に搬送する。次の原稿が準備されると、上記プロセスと同様にして原稿画像が読み取られるが転写紙については再給紙用被転写紙積載部２１０より給紙されるので、結局、同一出力紙の表面、裏面に２枚の原稿画像を出力することができる。
【００４１】
＜裏面排紙動作の説明＞
定着部２０７で定着された出力用紙を、一度、搬送方向切り換え部材２０９を揺動させることで用紙の搬送向きを反転して反転ローラ２１１に搬送し、用紙が搬送方向切り換え部材２０９を抜けた後、反転ローラ２１１を逆方向に回転させ、排紙部２０８まで搬送する。フェイスアップに原稿を載置し上分離で原稿搬送装置から給送された原稿は、原稿の順番を損なわないように画像形成後上記反転排紙により排紙される。
【００４２】
＜ジョブ管理部の処理についての説明＞
図３のフローチャートに従ってジョブ管理部１の処理について説明する。尚、該処理は、制御部１００内のＲＯＭ（不図示）に格納されている該処理を実行する為のプログラムを、制御部１００内のＣＰＵ（不図示）が読み出し実行することで行われる。
【００４３】
まずステップＳ３０１では、各ジョブ（コピー、ＦＡＸ、ＰＤＬプリントなど）の開始要求が来るのを待つ、コピージョブの場合には、コピー制御部２、ＦＡＸジョブの場合にはＦＡＸ制御部３、ＰＤＬプリントジョブの場合にはＰＤＬ制御部４より、それぞれ開始要求がくる。開始要求がある場合には、ステップＳ３０２の処理に進み、開始要求が無い場合にはステップＳ３１３の処理に進む。
【００４４】
ステップＳ３０２の処理では、開始要求のあるジョブをジョブキュウ（不図示のＲＡＭ）に登録する。ジョブキュウについて図４をもとに説明する。
【００４５】
同図では、すでに実行中ジョブが１つ（ジョブ６００）、待機中ジョブが２つ（ジョブ６０１及び６０２）がある場合である。ここに新規のジョブ６０３（後述するジョブポインタをＮＵＬＬにしておく）が発生した場合には、ジョブキュウのつながりを示すジョブポインタ（７項目目の情報）により、ジョブの先頭より順次ジョブを探し、ジョブポインタがＮＵＬＬポインタになるジョブを探す（この例ではジョブ６０２）。そして新規ジョブのデータを示すポインタ情報をジョブ６０２のジョブポインタに設定し、ジョブの登録を行う。また、実行ジョブが終了した場合には、そのジョブのポインタを削除しつなげ直すようにする。
【００４６】
続いて、ステップＳ３０３では、現在動作中のジョブのあり／なしかを判断する。ジョブがない場合には、ステップＳ３０７のジョブスタート処理を行う。図４に示すジョブキュウの先頭のジョブより登録されているジョブを探しその条件でジョブの開始を行う。ジョブ管理部１は、ジョブの開始を各制御部に伝える。
【００４７】
ステップＳ３０３で実行中のジョブがある場合には、ステップＳ３０４の処理に進む。ステップＳ３０４では、画像形成装置本体にシート処理装置が接続されているか否か（以下、シート処理装置の「あり／なし」と称す）を判断する。シート処理装置がない場合にはステップＳ３０８の処理に進む。ステップＳ３０８では、前述した操作部（図５（ｃ）の画面）で指定したプリント優先順位の情報に基づいて、開始要求のジョブと現在実行中のジョブの優先順位を判断し、開始要求のジョブが現在実行中のジョブより優先順位が低い場合（または優先順位が設定されていない場合）には、動作中のジョブが終了するのを待って実行するようにステップＳ３０１に戻り、処理を実行する。また、開始要求のジョブが現在実行中のジョブより優先順位が高い場合には、ステップＳ３０９で実行中のジョブを中断させる処理を行い、中断後にジョブが実行できるように、ステップＳ３０１に戻り処理を行う。
【００４８】
ステップＳ３０５では、画像形成装置本体に接続されているシート処理装置は、トレイが移動式のものか固定式のものか、そのシート処理装置のタイプを判断する。固定式の場合（例えば、シート処理装置４５０）には、ステップＳ３０６に進む。トレイが固定式のタイプのシート処理装置の場合には、画像形成のパフォーマンスを欠くことなく画像形成が行えるため動作ジョブがすでにある場合でも同時に動作させ、ページ毎のスケジューリング処理が可能となるため、ステップＳ３０６では前述したステップＳ３０７の処理と同様の処理を行い、ジョブの開始を行う。これにより、先に出力中のジョブのシートと後続のジョブのシートとが１枚づつ交互に所望する各トレイに排出される。尚、この際、ジョブ管理部１では、複数のジョブを並行処理するようスケジューリングの再設定を行う。
【００４９】
また一方、トレイが移動式のタイプの場合（例えば、シート処理装置４００）、ジョブを同時に動作させる為には、各ページ毎にトレイを変更する（即ち、トレイ４１１を上下方向に移動する）必要がある。そして、このような場合に、そのトレイの移動時間が、画像形成の最低間隔以上になると（即ち、プリンタ部３００にて１ページ分の画像形成処理に要する時間を超えると）画像形成のパフォーマンスを低下させることになる。従って、ここでは、上述したような場合を考慮して、同時に複数のジョブを動作させることはせずに、いずれか一方のジョブを実行するように制御するようステップＳ３１０へと移行する。
【００５０】
ステップＳ３１０以降の制御に関して説明する。
【００５１】
ステップＳ３１０では、ステイプル処理のモードが動作中か判断する。ステイプルモードのジョブが動作中の場合には、中断しジョブを実行することができないため、動作中のジョブが終了するのを待つため、ステップＳ３０１に戻る。
【００５２】
一方、ステイプルモードのジョブでない場合には、ステップＳ３１１に進み、前述した操作部（図５（ｃ）の画面）で指定したプリント優先順位の情報に基づいて、開始要求のジョブと現在実行中のジョブの優先順位を判断する。そして、開始要求のジョブが現在実行中のジョブより優先順位が低い場合には、動作中のジョブが終了するのを待って実行するようスケジューリングを行いステップＳ３０１に戻る。また、開始要求のジョブが現在実行中のジョブより優先順位が高い場合には、ステップＳ３１２で、現在実行中のジョブを中断させる処理を行う。そして、後続のジョブを実行し、該ジョブの終了後に、中断されたジョブを再開するようスケジューリングを行いステップＳ３０１に戻る。
【００５３】
図６に、ジョブ管理部１によって、ジョブのスケジューリングを行った場合の例を示す。図６では、コピージョブの実行中に、ＰＤＬプリントジョブの出力開始要求が入力された場合の例を示す。尚、ここでは、コピージョブ、ＰＤＬプリントジョブを、共に、５ページ出力するものとし、コピージョブの２ページ目を出力している最中にＰＤＬプリントジョブの出力開始要求が入力されたものとする。
【００５４】
図６において、パターン（１）は、装置本体に、シート処理装置４５０（トレイが固定式）は接続されておらず、シート処理装置４００（トレイが移動式）が接続されており、図５（ｃ）の画面で設定された優先順位がコピー＞ＰＤＬの場合に、ジョブ管理部１が行うスケジューリングを説明する為のものである。このような場合、コピージョブの後に出力開始要求が行なわれたＰＤＬプリントジョブは、優先順位がコピージョブより低い為、既に実行中のコピージョブの終了を待つ状態となり、コピージョブが終了次第、出力を開始するようスケジューリングされる。
【００５５】
同図のパターン（２）は、装置本体に、シート処理装置４５０（トレイが固定式）は接続されておらず、シート処理装置４００（トレイが移動式）が接続されており、図５（ｃ）の画面で設定された優先順位がコピー＜ＰＤＬの場合に、ジョブ管理部１が行うスケジューリングを説明する為のものである。このような場合、現在実行中のコピージョブを中断し（図では、コピージョブの２ページ目の画像が形成されたシートが出力された時点で中断されたこと示している。）、コピージョブよりも優先順位の高いＰＤＬプリントジョブが開始される。コピージョブは、ＰＤＬプリントジョブが終了するまで中断状態となり、ＰＤＬプリントジョブの終了を待って、出力処理が再開される（図では、コピージョブの３ページ目から出力を再開することを示している）。パターン（２）の場合は、このようにスケジューリングされる。
【００５６】
同図のパターン（３）は、シート処理装置４５０（トレイが固定式）が装着されている場合に、ジョブ管理部１が行うスケジューリングを説明する為のものである。このような場合には、図５（ｃ）の画面で優先順位が設定されている／いない、に係らず、入力された複数のジョブを並行して処理するようスケジューリングされる。
【００５７】
例えば、パターン（３）では、コピージョブの出力開始要求の後に出力開始要求が行なわれたＰＤＬプリントジョブは、コピージョブとページ毎にスケジューリングされて出力される。図の例では、コピージョブの２ページ目を出力している最中にＰＤＬプリントジョブの出力開始要求が入力されので、コピージョブの２ページ目の画像が形成されたシートをコピージョブ用のトレイに排出した後に、ＰＤＬプリントジョブの１ページ目の画像が形成されたシートをＰＤＬプリントジョブ用のトレイに排出し、次のタイミングで、コピージョブの３ページ目の画像が形成されたシートをコピージョブ用のトレイに排出し、その次のタイミングで、ＰＤＬプリントジョブの２ページ目の画像が形成されたシートをＰＤＬプリントジョブ用のトレイに排出し、次のタイミングで、コピージョブの４ページ目の画像が形成されたシートをコピージョブ用のトレイに排出し、その次のタイミングで、ＰＤＬプリントジョブの３ページ目の画像が形成されたシートをＰＤＬプリントジョブ用のトレイに排出し、その次のタイミングで、コピージョブの５ページ目の画像が形成されたシートをコピージョブ用のトレイに排出し（この時点でコピージョブは終了する）、その次のタイミングで、ＰＤＬプリントジョブの４ページ目の画像が形成されたシートをＰＤＬプリントジョブ用のトレイに排出し、その次のタイミングで、ＰＤＬプリントジョブの５ページ目の画像が形成されたシートをＰＤＬプリントジョブ用のトレイに排出する。パターン（３）では、このようにスケジューリングされる。
【００５８】
なお、或るジョブＡを行っている最中に、別のジョブＢが発生したとき、そのジョブＢがキューされたときには、操作部にその旨のメッセージやマークを表示させるようにしてもよい。逆に、ジョブＢの優先順位が高く、ジョブＡが中断状態となった場合にも同様に報知するようにしてもよい。また、本形態では、コピーモードのジョブとプリントモードのジョブ、または、コピーモードのジョブとファクシミリモードのジョブ、または、ファクシミリモードのジョブとプリントモードのジョブといった、データ入力経路が異なる複数のジョブの場合について説明しているが、これに限らず、同一のモードで、複数のジョブが入力された場合であっても、本形態のような処理を実現できることは言うまでもない。例えば、コピーモードの第１のジョブを実行している最中に、割り込み処理として、コピーモードの第２のジョブの出力開始要求が入力されたとしても、図３に示したような処理を行うことで、上述の形態と同様の効果を奏することが出来る。
【００５９】
また、管理者が緊急の要件で複写する必要になったり、或いは、管理者が自身のパーソナルコンピュータ等で緊急の印刷を行う必要が生じたとき、そのジョブを優先順位を一時的に最大にするようにしてもよい。複写時であれば管理者であることを示す情報（例えばＩＤ及びパスワード）を入力すればよいであろうし、緊急印刷時であれば自端末の印刷するときに同様の情報を入力するようにしてもよい。
【００６０】
また、所定の操作を行ったとき、中断状態にあるジョブ、キューの状態を操作部に表示させ、自分のジョブがその時点で何番目なのかを報知するようにしても良い。そして、管理者であれば、その中の１つを最優先に変更するようにしてもよい。
【００６１】
＜コピーモードの処理についての説明＞
図７のフローチャートに従って処理の説明をする。本体に載置されている操作部より、コピーのスタートキー５０３が開始されると、この処理に従った制御が制御部１００によって実行される。
【００６２】
ステップＳ７２０では、ジョブ管理部１にジョブの開始要求をだす。ステップＳ７２１でジョブ開始のレスポンスを待つ。続いてステップＳ７０１では、プリント処理を行うためのプリント制御用のタスクをスタートさせる。また、操作部の状態表示部５０１に「コピーしています。」等の表示を行う。ステップＳ７０２では、原稿自動給紙装置１０１の原稿積載部上に置かれた原稿を順次原稿台１０２に送り、ステップＳ７０３で、原稿が原稿第１０２上に送られるまで待つ。原稿台１０２に送られると原稿自動給紙装置１０１から、原稿給紙完了の信号をもらう。このとき、原稿の搬送中に原稿の長さ等の情報から原稿のサイズ情報、原稿枚数情報などが確定される。ステップＳ７０４でこの原稿サイズ情報、枚数情報、ページ情報などを予め決められたメモリに記憶する。ステップＳ７０５では、まずページ管理制御部１７に対して画像を読込む要求をだし、メモリをバス使用する許可が得るのを待つ。ページ管理制御部１７は、コピー、ＦＡＸ、ＰＤＬのそれぞれからの要求を先着順に処理する制御を行う（ステップＳ７０８）。
【００６３】
ここで、ステップＳ７０８におけるページ管理制御部１７の処理内容であるが、着目しているジョブ（この場合にはコピー処理）から受け取った画像データ（この場合には読み取った原稿画像データ）をイメージメモリ部２０にページ単位に、且つ、１つのジョブに属することを明確にして格納する処理を行う。単純には、或るジョブが発生したときに、そのジョブに対応するフォルダ（ディレクトリ）を作成し、その中にページ単位のイメージを格納する（格納するときのファイル名はシーケンシャルな番号を付すなどの対処を行えばよい）。
【００６４】
さて、ステップＳ７０８の処理が完了したら、再びステップＳ７０５に移行し、ステップＳ７０４で設定された原稿情報、操作部で指定された画像処理モードに基づいて原稿の読込みが開始される。スキャナ部のランプ１０３が点灯し、かつスキャナ・ユニット１０４が移動して原稿を照射する。原稿の反射光は、ＣＣＤイメージ・センサ１０９（以下、ＣＣＤと称する）に入力された画像信号は、操作部からの設定に基づき画像処理が施される。次に、該画像データはセレクタ回路部（不図示）を介し、ページ管理制御部１７で管理するイメージメモリ部２０に送られ、図示しない画像圧縮伸張処理で圧縮され順次蓄積される。ステップＳ７０６では、次に読込む原稿があるか判断を行う。原稿がない場合には、読込み動作を終了する。また、原稿がある場合には、ステップＳ７０２以降の処理を繰り返す。図４に示すように、ページ１から順に読込みを行う。
【００６５】
また、プリント制御の処理では、ステップＳ７０５の処理でイメージメモリ部２０に画像が蓄積されたかを判断する（ステップＳ７１０）。蓄積されていない場合には蓄積されるのを待ち、蓄積された場合には、ステップＳ７１１の処理を行う。ステップＳ７１１の処理では、ページ管理制御部１７に対してプリントの要求をだし、許可が次第にプリントの開始の制御を行う。図に示されるように、プリントの開始処理がスタートされる。続いて、ステップＳ７１２では、ジョブ管理部１からの中断要求と読込んだ原稿の終了を判断し、中断要求がある場合および読込んだ原稿がない場合には終了する。また読込んだ原稿がある場合にはステップＳ７１０に戻り繰り返し処理を行う。
【００６６】
ステップＳ７１３以降の制御について説明する。プリントが開始されると、記録紙をカセットより給紙する（Ｓ７１３）。原稿の画像をイメージメモリ２０から読み出し、画像の展開終了を待ち（Ｓ７１４）、Ｓ７１５の処理で、タイミング部を合わせて出力し記録紙に画像を形成し、画像形成された記録紙は、本体排紙ローラ２０８を通り機外に排出される。この一連の処理を繰り返し行う。すべてのプリントが終了した後、操作部の状態表示部５０１に「コピーできます。」の表示を行う。
【００６７】
＜ＰＤＬプリントモードの処理についての説明＞
次に、実施形態における装置がプリンタとして機能する場合の処理内容を図８のフローチャートに従って説明をする。
【００６８】
まず、ＰＤＬインタフェース制御部１４でコンピュータよりプリントデータが受信されるのを監視する（ステップＳ８０１）。プリントのデータが受信されると、ステップＳ８２０では、ジョブ管理部１にジョブの開始要求を出し、ステップＳ８２１でジョブ開始のレスポンスを待つ。続いて、ステップＳ８０２では、プリント処理を行うためのプリント制御用のタスクをスタートさせる（ステップＳ８０２）。ステップＳ８０３ではコンピュータからの情報を可視像とするためＰＤＬ画像展開部１６にて、ビットマップのデータに変換される。続いて、Ｓ８０４では、一旦、ステップＳ８０３で作成された画像を画像メモリ部２０に記憶するための情報を設定し、ステップＳ８０５でページ管理制御部１７に、蓄積するためのメモリ使用の許可をもらい、ページ管理制御部下のメモリ制御部にあるイメージメモリ２０に記憶を開始する。なお、この時の記憶するファイル形式は先のコピー処理時の場合と同様である。終了後さらに次のページのデータが存在する場合には、ステップＳ８０３以降の処理を繰り返し行い、コンピュータからのプリントデータの蓄積を行い、データがなくなるまで、つまり、１つのプリントジョブに対する受信処理が完了するまで上記の処理を行う。
【００６９】
また、プリント制御の処理では、ステップＳ８０５の処理でイメージメモリ部２０に画像が蓄積されたかを判断する（ステップＳ８１０）。蓄積されていない場合には蓄積されるのを待ち、蓄積された場合には、ステップＳ８１１の処理を行う。ステップＳ８１１の処理では、ページ管理制御部に対してプリントの要求をだし、許可がでしだいプリントの開始の制御を行う。図に示されるように、プリントの開始処理がスタートされる。続いて、ステップＳ８１２で読込んだ原稿の終了を判断し、原稿がある場合にはステップＳ８１０に戻り繰り返し処理を行う。
【００７０】
ステップＳ８１３以降の制御について説明する。プリントが開始されると、記録紙をカセットより給紙する（ステップＳ８１４）。原稿の画像をイメージメモリ部２０から読み出し、画像の展開終了を待ち（ステップＳ８１５）、ステップＳ８１６の処理で、タイミングを合わせて出力し記録紙に画像を形成し、画像形成された記録紙は、本体排紙ローラ２０８を通り機外に排出される。この一連の処理を繰り返し行う。
【００７１】
＜ファクシミリ受信モードの処理についての説明＞
次に、ファクシミリの受信処理について図９のフローチャートに従って説明する。
【００７２】
まず、ＦＡＸ通信制御部１０でＦＡＸのデータが受信されるのを監視する（ステップＳ９０１）。ステップＳ９０２ではＦＡＸ受信した画像の情報をセットし、ステップＳ９０３でページ管理制御部１７に蓄積するためのメモリ使用の許可をもらい、ページ管理制御部下のメモリ制御部にあるイメージメモリ部２０にページ単位の憶を開始する。続いてステップＳ９０４で、次のページのデータが存在するかの判断を行い、データが存在する場合には、ステップＳ９０２以降の処理を繰り返し行い、通信制御部１０からのデータの蓄積を行い、受信データがなくなるまで行う。
【００７３】
こうして、受信した全ページのイメージデータ蓄積後、ステップＳ９２０では、ジョブ管理制御部１にジョブの開始要求を出し、ステップＳ９２１でジョブ開始のレスポンスを持つ。
【００７４】
続いて、ステップＳ９０５では、プリント処理を行うためのプリント制御用のタスクをスタートさせる。
【００７５】
また、プリント制御の処理では、ステップＳ９０３の処理におけるイメージメモリ部２０に受信した画像が蓄積されたかを判断する（ステップＳ９１０）。蓄積されていない場合には蓄積されるのを待ち、蓄積された場合には、ステップＳ９１１に進み、ページ管理制御部１７に対してプリントの要求をだし、許可がでしだいプリントの開始の制御を行う。図に示されるように、プリントの開始処理がスタートされる。続いて、ステップＳ９１２で読込んだデータの終了を判断し、データがある場合にはステップＳ９１０に戻り繰り返し処理を行う。ステップＳ９１３以下の制御について説明する。プリントが開始されると、記録紙をカセットより給紙する（ステップＳ９１４）。原稿の画像をイメージメモリ２０から読み出し、画像の展開終了を待ち（ステップＳ９１５）、ステップＳ９１６の処理で、タイミングを合わせて出力し記録紙に画像を形成し、画像形成された記録紙は、本体排紙ローラ２０８を通り機外に排出される。この一連の処理を繰り返し行う。
【００７６】
なお、ページ管理制御部１７にプリント要求して、即座に許可されるか否かは、その要求とその時に実行しているジョブの優先順位、並びに、排紙処理系の状態によって異なるのは、先に説明した通りである。
【００７７】
また、上記実施形態では特に説明しなかったが、実施形態の装置をファクシミリ送信に使用する場合であって、原稿画像を読み取り、それを送信する場合には、通常の複写動作と排他的に行われる。両方ともリーダ部を使用するからである。ただし、複写ジョブの後に、ファクシミリ送信ジョブを行う場合、従前の複写ジョブにおけるイメージメモリ部２０へのイメージの格納が終了しているのであれば、複写ジョブにおける印刷出力処理とファクシミリ送信するための原稿画像の読み取りを並行して行っても良いのは勿論である。また、ホストコンピュータから指示された文書をファクシミリ送信する場合、その文書のイメージデータの生成及びイメージメモリ部２０への格納までは、通常の印刷と同じであるが、その後の処理は、ＦＡＸ制御部３にその送信制御が移ることになる。ファクシミリ送信は、プリントアウトとは無関係であるので、他のジョブによるプリントアウトと並行して実行される。このようなことが実現するのは、図１に示すように、コピー制御部２、ＦＡＸ制御部３、そして、ＰＤＬ制御部４がそれぞれ独立していて、それぞれのジョブを管理するジョブ管理部１及びページを管理するページ管理部１７を設けることにより実現できるものである。
【００７８】
なお、図１は、ハードウェア的なものに限定されるものではなく、同図のような接続関係を実現するためのソフトウェア群を並列に実行させることでも実現できる。後者の場合、プリンタ、イメージスキャナ、ファクシミリ送信するためのモデム等のハードウェアを備えた汎用の情報処理装置（例えばパーソナルコンピュータ等）でもって実現できる。従って、ソフトウェアを装置に組み込んで実現させても良いのは勿論である。
【００７９】
以上説明したように本実施形態によれば、ジョブの優先順位、シート処理装置が接続されているか、接続されているシート処理装置のタイプ、機能を判断して、最適のジョブスケジューリングを行うことで、出力すべきジョブの生産性を向上させる効果がある。
【００８０】
［第２の実施形態］
次に、第２の実施形態について説明する。装置の構成は上記の第１の実施形態と同様である。図１０を用いて説明する。
【００８１】
＜ジョブ管理部の処理についての説明＞
図１０のフローチャートに従ってジョブ管理部１の処理について説明する。尚、該処理は、制御部１００内のＲＯＭ（不図示）に格納されている該処理を実行する為のプログラムを、制御部１００内のＣＰＵ（不図示）が読み出し実行することで行われる。
【００８２】
まず、ステップＳ１００１では、各ジョブ（例えば、コピーモードのジョブ、やファクシミリモードのジョブや、ＰＤＬプリントモードのジョブ等）の開始要求が来るのを待つ、コピージョブの場合には、コピー制御部２、ＦＡＸジョブの場合にはＦＡＸ制御部３、ＰＤＬプリントジョブの場合にはＰＤＬ制御部４より、それぞれ開始要求がくる。開始要求がある場合には、ステップＳ１００２の処理に進み、開始要求がない場合にはステップＳ１０１３の処理に進む。
【００８３】
ステップＳ１００２に処理が移ると、開始要求のあるジョブをジョブキュウに登録する。ジョブキュウについて図４をもとに説明する。図４は、すでに実行中ジョブが１つ、待機中のジョブが２つある場合である。新規のジョブがきた場合には、ジョブキュウの繋がりを示すジョブポインタ（７項目目の情報）により、ジョブの先頭より次のジョブを探し、ジョブポインタがＮＵＬＬポインタになるジョブを探す（この例ではジョブ６０２）。そして、新規ジョブ６０３のデータ（７項目目をＮＵＬＬにしておく）を示すポインタ情報をジョブ６０２のジョブポインタ（７項目目）に設定し、ジョブの登録を行う。また、実行ジョブが終了した場合には、そのジョブのポインタを削除し、つなげ直すようにする。続いて、ステップＳ１００３では、現在動作中のジョブのある／なしを判断する。ジョブがない場合には、ステップＳ１００７のジョブスタート処理を行う。図４に示すジョブキュウの先頭のジョブより登録されているジョブを探しその条件でジョブの開始を行う。ジョブ管理部１は、ジョブの開始を各制御部に伝える。
【００８４】
ステップＳ１００３で実行中のジョブがあると判断した場合には、ステップＳ１００４の処理に進み、画像形成装置本体にシート処理装置が接続されているか否か（以下、シート処理装置の「あり／なし」と称す）を判断する。シート処理装置がない場合にはステップＳ１００８の処理に進み、前述した操作部（図５（ｃ）の画面）で指定したプリント優先順位の情報に基づいて、開始要求のジョブと現在実行中のジョブの優先順位を比較判断し、開始要求のジョブが現在実行中のジョブより優先順位が低い場合（または優先順位が設定されていない場合）には、動作中のジョブが終了するのを待って実行するようにステップＳ１００１に戻り処理を実行する。また、開始要求のジョブが現在実行中のジョブより優先順位が高い場合には、ステップＳ１００９で実行中のジョブを中断させる処理を行い、中断後にジョブが実行できるようにし、ステップＳ１００１に戻り処理を行う。
【００８５】
一方、シート処理装置が画像形成装置本体に接続されていると判断した場合には、ステップＳ１００５に進んで、接続されているシート処理装置は、トレイが移動式タイプのものか、固定式タイプのものかを判断する。トレイが固定式タイプの場合（例えば、シート処理装置４５０）には、ステップＳ１００６に進む。トレイが固定式タイプのシート処理装置が接続されている場合には、画像形成のパフォーマンスを欠くことなく画像形成が行えるため動作ジョブがすでにある場合でも同時に動作させ、ページ毎のスケジューリング処理が可能となるため、ステップＳ１００６では前述したステップＳ１００７の処理と同様の処理を行い、ジョブの開始を行う。これにより、先に出力中のジョブのシートと後続のジョブのシートとが１枚づつ交互に所望する各トレイに排出される。尚、この際、ジョブ管理部１では、複数のジョブを並行処理するようスケジューリングの再設定を行う。
【００８６】
また一方、トレイが移動式のタイプの場合（例えば、シート処理装置４００）、ジョブを同時に動作させる為には、各ページ毎にトレイを変更する（即ち、トレイ４１１を上下方向に移動する）必要がある。そして、このような場合に、そのトレイの移動時間が、画像形成の最低間隔以上になると（即ち、プリンタ部３００にて１ページ分の画像形成処理に要する時間を超えると）画像形成のパフォーマンスを低下させることになる。そこで、本形態では、上述した形態とは異なり、トレイが移動式のタイプのシート処理装置が画像形成装置本体に接続されていたとしても、画像形成のパフォーマンスを低下させずに、複数のジョブを同時に処理できるのであれば、出力すべきジョブの生産性を向上させる為、複数のジョブを並行して処理するよう制御している（これについては、後述する）。しかし、現在処理中のジョブが若し仮にステイプルモードのジョブの場合には、複数のジョブを並行して処理してしまうと、後から投入されたジョブのシートまでがステイプルされてしまう虞があるので、それを防ぐ為に、ステップＳ１０１０でステイプル処理のモードが動作中か判断する。ステイプルモードのジョブが動作中の場合には、中断しジョブを実行することができないため、動作中のジョブが終了するのを待って実行するようにステップＳ１００１に戻り処理を実行する。一方、ステップＳ１０１０にて現在処理中のジョブはステイプルモードのジョブでないと判断した場合には、ステップＳ１０１６に進む。
【００８７】
ステップＳ１０１６では、現在動作中のジョブで使用している排紙トレイと、プリント開始要求のジョブで使用する排紙トレイで、そのトレイの移動時間が、プリンタ部３００における画像形成処理の間隔内に収まり、パフォーマンスに影響を与えないかどうか判断する。この結果、１ページ分の画像形成処理が完了するまでの間に、トレイの移動が完了する場合には、前述のステップＳ１００６の処理を行う。即ち、ステップＳ１０１６では、現在動作中のジョブで使用している排紙トレイの位置から、プリント開始要求のジョブで使用すべき排紙トレイの位置へのトレイ（例えば、トレイ４１１）の移動に要する時間が、１ページ分の画像形成処理に要する時間を超えるか否かを判断している。
【００８８】
尚、画像形成済みのシートの先端が、画像形成装置本体のシート排出口付近（例えば、排紙ローラ２０８付近）に到達するまでの間に、現在使用中のトレイから後続のジョブの為に使用すべきトレイへの移動が完了するのであれば、ステップＳ１０１６からステップ１００６へ移行させても良い。
【００８９】
このように、トレイの移動が間に合う場合は動作中のジョブを中断することなく、動作中のジョブとプリント開始要求のジョブを同時に処理することができる。また、処理時間を超えてしまうとステップＳ１０１６で判断した場合には、ステップＳ１０１１の処理を行う。ステップＳ１０１１では、前述した操作部（図５（ｃ）の画面）で指定したプリント優先順位の情報に基づいて、開始要求のジョブと現在実行中のジョブの優先順位を比較判断し、開始要求のジョブが現在実行中のジョブより優先順位が低い場合（または優先順位が設定されていない場合）には、動作中のジョブが終了するのを待って実行するように、スケジューリングを行い、ステップＳ１００１に戻り処理を実行する。また、開始要求のジョブが現在実行中のジョブより優先順位が高い場合には、ステップＳ１０１２で実行中のジョブを中断させる処理を行い、中断後にジョブが実行できるように、スケジューリングを行い、ステップＳ１００１に戻り処理を行う。
【００９０】
図１１に第２の実施形態におけるジョブのスケジューリングを行った例を示す。図１１では、コピージョブ実行中に、ＰＤＬプリントジョブの出力開始要求が入力された場合の例を示す。尚、ここでは、コピージョブ、ＰＤＬプリントジョブを、共に、５ページ出力するものとし、コピージョブの２ページ目を出力している最中にＰＤＬプリントジョブの出力開始要求が入力されたものとする。
【００９１】
図１１において、パターン（１）は、装置本体に、シート処理装置４５０（トレイが固定式のタイプ）は接続されておらず、図５（ｃ）の画面で設定された優先順位はコピー＞ＰＤＬで、且つ、シート処理装置４００（トレイが移動式のタイプ）が接続されており、コピーモードのジョブで使用しているトレイの位置からＰＤＬプリントモードのジョブで使用すべきトレイの位置へのトレイ４１１の移動時間が間に合わない場合に、ジョブ管理部１が行うスケジューリングを説明する為のものである。
【００９２】
このような場合、ＰＤＬプリントジョブは、優先順位がコピージョブより低い為、既に実行中のコピージョブの終了を待つ状態となり、コピージョブが終了次第、出力を開始するようスケジューリングされる。尚、待ち状態の該ＰＤＬプリントジョブは、画像形成処理そのものであり、イメージデータへの展開及びイメージメモリ部２０への格納は内部的に行われるのは第１の実施形態と同様である。
【００９３】
図１１において、パターン（２）は、装置本体に、シート処理装置４５０（トレイが固定式のタイプ）は接続されておらず、図５（ｃ）の画面で設定された優先順位がコピー＜ＰＤＬで、且つ、シート処理装置４００（トレイが移動式のタイプ）が接続されており、コピーモードのジョブで使用しているトレイの位置からＰＤＬプリントモードのジョブで使用すべきトレイの位置へのトレイ４１１の移動時間が間に合わない場合に、ジョブ管理部１が行うスケジューリングを説明する為のものである。
【００９４】
このような場合、現在実行中のコピージョブを中断し（図では、コピージョブの２ページ目の画像が形成されたシートが出力された時点で中断されたこと示している。）、コピージョブよりも優先順位の高いＰＤＬプリントジョブを開始させる。コピージョブは、ＰＤＬプリントジョブが終了するまで中断状態となり、ＰＤＬプリントジョブの終了を待って、出力が再開される（図では、コピージョブの３ページ目から出力を再開することを示している）。図１１のパターン（２）の場合は、このようにスケジューリングされる。
【００９５】
図１１においてパターン（３）は、シート処理装置４５０（トレイが固定式）が装着されている場合、または、シート処理装置４００（トレイが移動式のタイプ）が接続されており、コピーモードのジョブで使用しているトレイの位置からＰＤＬプリントモードのジョブで使用すべきトレイの位置へのトレイ４１１の移動時間が間に合う場合に、ジョブ管理部１が行うスケジューリングを説明する為のものである。このような場合には、図５（ｃ）の画面で優先順位が設定されている／いない、に係らず、入力された複数のジョブを並行して処理するようスケジューリングされる。
【００９６】
例えば、パターン（３）では、コピージョブの出力開始要求の後に出力開始要求が行なわれたＰＤＬプリントジョブは、コピージョブとページ毎にスケジューリングされて出力される。図の例では、コピージョブの２ページ目を出力している最中にＰＤＬプリントジョブの出力開始要求が入力されので、コピージョブの２ページ目の画像が形成されたシートをコピージョブ用のトレイに排出した後に、ＰＤＬプリントジョブの１ページ目の画像が形成されたシートをＰＤＬプリントジョブ用のトレイに排出し、次のタイミングで、コピージョブの３ページ目の画像が形成されたシートをコピージョブ用のトレイに排出し、その次のタイミングで、ＰＤＬプリントジョブの２ページ目の画像が形成されたシートをＰＤＬプリントジョブ用のトレイに排出し、次のタイミングで、コピージョブの４ページ目の画像が形成されたシートをコピージョブ用のトレイに排出し、その次のタイミングで、ＰＤＬプリントジョブの３ページ目の画像が形成されたシートをＰＤＬプリントジョブ用のトレイに排出し、その次のタイミングで、コピージョブの５ページ目の画像が形成されたシートをコピージョブ用のトレイに排出し（この時点でコピージョブは終了する）、その次のタイミングで、ＰＤＬプリントジョブの４ページ目の画像が形成されたシートをＰＤＬプリントジョブ用のトレイに排出し、その次のタイミングで、ＰＤＬプリントジョブの５ページ目の画像が形成されたシートをＰＤＬプリントジョブ用のトレイに排出する。図１１のパターン（３）では、このようにスケジューリングされる。
【００９７】
以上説明したように本第２の実施形態によっても、第１の実施形態と同様の作用効果を奏することができる。そして、なお且つ、トレイが移動式のタイプのシート処理装置が画像形成装置本体に接続されていたとしても、そのシート処理装置の使用状況に応じて、複数のジョブを同時に処理するようスケジューリングし、複数のジョブを並行して処理するので、固定式のトレイを有するシート処理装置を用意しなくても、画像形成のパフォーマンスを低下させずに、出力すべきジョブの生産性を向上させることができるので、コストパフォーマンスをも向上させることが出来る。
【００９８】
尚、コピーモードのジョブとプリントモードのジョブ、または、コピーモードのジョブとファクシミリモードのジョブ、または、ファクシミリモードのジョブとプリントモードのジョブといった、データ入力経路が異なる複数のジョブの場合について第２の形態で説明しているが、これに限らず、同一のモードで、複数のジョブが入力された場合であっても、本形態のような処理を実現できることは言うまでもない。例えば、コピーモードの第１のジョブを実行している最中に、割り込み処理として、コピーモードの第２のジョブの出力開始要求が入力されたとしても、図１０に示す処理と同様な処理を行うことで、上述の形態と同様の効果を奏することが出来る。
【００９９】
また、第２の実施形態の変形例について以下に説明する。例えば、トレイが移動式タイプのシート処理装置が画像形成装置本体に接続されており、該シート処理装置が、多数のトレイを有しているような場合について説明する。ここでは、上下方向に移動可能な１０個のトレイを有しているシート処理装置が装置本体に接続されているものとする。
【０１００】
例えば、現在実行中のジョブ（以下、第１ジョブ）で使用しているシート処理装置のトレイが、１番目のトレイから８番目のトレイだとする。そして、第１ジョブの出力動作中に別のジョブ（以下、第２のジョブ）の出力要求が投入されたとする。このような場合、第２のジョブで使用可能なトレイは、９番目以降のトレイになってしまうので、このような場合は、トレイの移動時間が間に合わないので、第１のジョブの出力が終了してから第２のジョブの出力を開始するようスケジューリングを行い、１個のジョブづつ順番に処理する。
【０１０１】
また一方、例えば、第１ジョブで使用しているシート処理装置のトレイが１番目のトレイと２番目のトレイだけだとする。そして、第１ジョブの出力動作中に第２のジョブの出力要求が投入されたとする。このような場合は、第２のジョブで使用可能なトレイは、３番目以降のトレイである。若し、このような場合に、トレイの移動時間が間に合うのならば、第２のジョブの出力要求の入力後は、第１のジョブと第２のジョブとを、ページ単位毎に交互に出力するようスケジューリングを行い、これら複数のジョブを並行して処理する。
【０１０２】
また、先の例のように、第１ジョブで使用しているシート処理装置のトレイは、１番目のトレイから８番目のトレイといった、多数のトレイを使用している場合であっても、現在アクセスしているトレイの位置に応じて、第１のジョブと第２のジョブを並行して処理しても良い。例えば、第１ジョブの出力動作中に第２のジョブの出力要求が投入され、その時に、第１のジョブのシートを７番目のトレイまたは８番目のトレイに排出していたとする。このような場合は、第２のジョブで使用可能なトレイである９番目のトレイの位置に非常に近いので、トレイの移動時間が間に合う。従って、このような場合も、第１のジョブと第２のジョブとを、ページ単位毎に交互に出力するようスケジューリングを行い、これら複数のジョブを並行して処理する。
【０１０３】
また、上述した形態では、シート処理装置の使用状況に合わせて、制御部１００がスケジューリングを行い、入力された複数のジョブを１個ずつ処理するか、交互に並行して処理する場合について説明したが、これに限らず、複数のジョブのシートを交互に排出出来るように、制御部１００がシート処理装置を制御しても良い。
【０１０４】
例えば、画像形成装置本体にシート処理装置４００が接続されており、操作部（図５（ｄ）の画面）上にて、例えば、トレイ４１１の１番目のトレイをコピーモードのジョブの専用トレイと指定し、トレイ４１１の２番目のトレイをファクシミリモードのジョブの専用トレイと指定し、トレイ４１１の３番目のトレイをプリンタモードのジョブの専用トレイと指定されていたとする。そして、現在、コピーモードのジョブ（以下、第１のジョブ）の出力動作を行っており、該ジョブの出力動作中に、プリンタモードのジョブ（以下、第２のジョブ）の出力開始要求が投入されたとする。
【０１０５】
このような場合、例えば、現在、アクセスしているトレイは、コピーモードのジョブ用のトレイ、即ち、トレイ４１１の１番目のトレイであるので、プリンタモード用のトレイ、即ち、トレイ４１１の３番目のトレイまでトレイ４１１を移動する時間はない。そこで、第１のジョブと第２のジョブとを、同時に並行して処理する為に、第２のジョブで使用すべきトレイを、ファクシミリ用のトレイ、即ち、トレイ４１１の２番目のトレイに決定し、それらのトレイに、第１のジョブのシートと第２のジョブのシートを１ページ毎に交互に排出できるように、トレイ４１１を上下方向に移動させるよう制御しても良い。
【０１０６】
即ち、例えば、操作部（図５（ｄ）の画面）上にて、予めトレイの指定が設定されている／いないに係らず、複数のジョブを同時に並行して処理する為に、第１のジョブの後に入力された第２のジョブで使用すべきトレイの位置を決定し、第１のジョブのシートと第２のジョブのシートを交互に、夫々のトレイに排出するようシート処理装置に対するトレイの移動制御を行う。また、第２のジョブで使用すべきトレイの位置の決定方法としては、例えば、現在動作中の第１のジョブで使用しているトレイの位置から最も近い場所に位置するトレイを第２のジョブで使用すべきトレイとしても良い。また更に、複数のトレイのうちで、シートが積載されていないトレイで、なお且つ、現在動作中の第１のジョブで使用しているトレイの位置から最も近い場所に位置するトレイを第２のジョブで使用すべきトレイとしても良い。尚、このような処理は、トレイが移動形のタイプのものに限らず、固定型のタイプのシート処理装置にも適用可能である。
【０１０７】
また、上述した実施形態等では、先に説明したように、図２のような一台の複合機であっても、それぞれの機能を果たす周辺機器（排出処理装置を有するプリンタ、スキャナ、ファクシミリモデム等）とそれを集中管理する装置（パーソナルコンピュータ等の汎用情報処理装置）のシステムでも実現できる。
【０１０８】
従って、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【０１０９】
この場合、記憶媒体から読出されたプログラムコード自体が前述した実施形態の機能を実現することになり、そのプログラムコードを記憶した記憶媒体は本発明を構成することになる。
【０１１０】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０１１１】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１１２】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０１１３】
なお、実施形態では印刷機構部分にレーザビームによる電子写真方式を採用した例を説明したが、これに限らず如何なる印刷方式（例えばＬＥＤプリンタ、熱転写プリンタ、インクジェットプリンタ等）を採用しても良いのは勿論である。
【０１１４】
また、図１におけるイメージメモリ部２０には、不特定多数の複数のジョブによって発生したページ単位のイメージデータが格納されるものであるので、大容量の記憶装置とすることが望まれる。この意味ではハードディスク等のストレイジ装置が望まれることになる。また、イメージメモリ部２０には、イメージデータ（読み取って得られた画像、ファクシミリ受信した場合には復号化した後の画像、ＰＤＬデータであれば解釈しイメージ展開した後の画像）が記憶されるが、格納するときにジョブの種類に関係なく、共通な圧縮処理を施すようにしても良い。
【０１１５】
【発明の効果】
以上説明したように本形態によれば、ジョブの優先順位は勿論のことシート処理装置の接続状態、及び、そのタイプ、及び、シート処理装置の機能、使用状況等に基づいて、最適のジョブスケジューリングを行うことで、出力すべきジョブの生産性を向上させることが可能になる。
【図面の簡単な説明】
【図１】実施形態における装置のブロック構成図である。
【図２】実施形態の装置の断面構造図である。
【図３】実施形態におけるジョブスケジューリング処理内容を示すフローチャートである。
【図４】実施形態におけるジョブのキュウ構成を説明するための図である。
【図５】実施形態における操作パネルとその操作による推移を示す図である。
【図６】実施形態におけるジョブのスケジューリング結果を示す図である。
【図７】実施形態の装置におけるコピー処理内容を示すフローチャートである。
【図８】実施形態の装置におけるＰＤＬプリント処理内容を示すフローチャートである。
【図９】実施形態の装置におけるファクシミリ受信処理内容を示すフローチャートである。
【図１０】第２の実施形態におけるジョブ管理処理を示すフローチャートである。
【図１１】第２の実施形態におけるスケジューリング結果を示す図である。
【図１】
0004508329.tif 000002
【図２】
0004508329.tif 000003
【図３】
0004508329.tif 000004
【図４】
0004508329.tif 000005
【図５】
0004508329.tif 000006
【図６】
0004508329.tif 000007
【図７】
0004508329.tif 000008
【図８】
0004508329.tif 000009
【図９】
0004508329.tif 000010
【図１０】
0004508329.tif 000011
【図１１】
0004508329.tif 000012